(57)【特許請求の範囲】
【請求項１】
回線の閉結前に交換機側から送られる相手側装置の電話番号を受信可能な受信手段を備えた電話装置において、
相手側装置の電話番号に対応つけて、その相手側装置との回線の閉結前または閉結時における通信に関する履歴情報を記憶する履歴記憶手段と、
前記受信手段により受信された相手側装置の電話番号が前記履歴記憶手段に記憶される相手側装置の電話番号と一致するか否かを判断する判断手段と、
その判断手段により相手側装置の電話番号が一致すると判断された場合に、前記相手側装置の電話番号に対応つけて前記履歴記憶手段に記憶される履歴情報として相手側装置との前回の回線閉結後の着呼日時の履歴または着呼回数を表示する表示手段とを備えていることを特徴とする電話装置。
【請求項２】
発呼先である相手側装置の電話番号を記憶する発呼先記憶手段を備えた電話装置において、
相手側装置の電話番号に対応つけて、その相手側装置との回線の閉結前または閉結時における通信に関する履歴情報を記憶する履歴記憶手段と、
前記発呼先記憶手段に記憶される相手側装置の電話番号が前記履歴記憶手段に記憶される相手側装置の電話番号と一致するか否かを判断する判断手段と、
その判断手段により相手側装置の電話番号が一致すると判断された場合に、前記相手側装置の電話番号に対応つけて前記履歴記憶手段に記憶される履歴情報を表示する表示手段とを備えていることを特徴とする電話装置。
【請求項３】
前記表示手段は、履歴情報として相手側装置との回線の閉結日時の履歴または回線の閉結回数を表示することを特徴とする請求項１または２に記載の電話装置。
【請求項４】
前記表示手段は、履歴情報として相手側装置との前回の回線閉結後の着呼日時の履歴または着呼回数を表示することを特徴とする請求項２又は３に記載の電話装置。
【請求項５】
相手側装置との通信に関するコメントを入力するコメント入力手段を備え、
前記表示手段は、そのコメント入力手段により入力されたコメントを履歴情報として表示することを特徴とする請求項１から４のいずれかに記載の電話装置。
【請求項６】
文字や記号を記録媒体上に印刷する印刷手段を備え、
前記印刷手段は、履歴情報を記録媒体上に印刷することを特徴とする請求項１から５のいずれかに記載の電話装置。
【発明の詳細な説明】
【０００１】
【発明の属する技術分野】
本発明は電話装置に関し、特に、相手側装置との通信に関する履歴情報を表示することができる電話装置に関するものである。
【０００２】
【従来の技術】
近年、電話はなくてはならないものであり、人々は電話を仕事や生活の上で多く活用している。電話での通話を行う場合、通常、通話者は、その通話相手との過去の通話内容に基づいて、今回の通話内容を決めている。例えば、仕事上の打ち合わせ等において、過去の通話内容を思い出すことにより、今回の通話を円滑に進めることができるのである。
【０００３】
【発明が解決しようとする課題】
しかしながら、通話回数の多い相手や前回の通話から長時間が経過した相手の場合においては、その通話相手と何時、如何なる内容の通話をしたのか思い出すことは困難であるという問題点があった。
【０００４】
本発明は上述した問題点を解決するためになされたものであり、相手側装置との通信に関する履歴情報を表示することができる電話装置を提供することを目的としている。
【０００５】
【課題を解決するための手段】
この目的を達成するために請求項１記載の電話装置は、回線の閉結前に交換機側から送られる相手側装置の電話番号を受信可能な受信手段を備えており、更に、相手側装置の電話番号に対応つけて、その相手側装置との回線の閉結前または閉結時における通信に関する履歴情報を記憶する履歴記憶手段と、前記受信手段により受信された相手側装置の電話番号が前記履歴記憶手段に記憶される相手側装置の電話番号と一致するか否かを判断する判断手段と、その判断手段により相手側装置の電話番号が一致すると判断された場合に、前記相手側装置の電話番号に対応つけて前記履歴記憶手段に記憶される履歴情報として相手側装置との前回の回線閉結後の着呼日時の履歴または着呼回数を表示する表示手段とを備えている。
【０００６】
この請求項１記載の電話装置によれば、交換機側から送られる相手側装置の電話番号が受信手段により受信されると、判断手段によって、その受信された相手側装置の電話番号が履歴記憶手段に記憶される相手側装置の電話番号と一致するか否か判断される。判断の結果、両電話番号が一致する場合には、表示手段によって、その相手側装置の電話番号に対応つけて履歴記憶手段に記憶される履歴情報としての相手側装置との前回の回線閉結後の着呼日時の履歴または着呼回数が表示される。
【０００７】
請求項２記載の電話装置は、発呼先である相手側装置の電話番号を記憶する発呼先記憶手段を備えており、更に、相手側装置の電話番号に対応つけて、その相手側装置との回線の閉結前または閉結時における通信に関する履歴情報を記憶する履歴記憶手段と、前記発呼先記憶手段に記憶される相手側装置の電話番号が前記履歴記憶手段に記憶される相手側装置の電話番号と一致するか否かを判断する判断手段と、その判断手段により相手側装置の電話番号が一致すると判断された場合に、前記相手側装置の電話番号に対応つけて前記履歴記憶手段に記憶される履歴情報を表示する表示手段とを備えている。
【０００８】
この請求項２記載の電話装置によれば、発呼先記憶手段により発呼先である相手側装置の電話番号が記憶されると、判断手段によって、その記憶される相手側装置の電話番号が履歴記憶手段に記憶される相手側装置の電話番号と一致するか否か判断される。判断の結果、両電話番号が一致する場合には、表示手段によって、その相手側装置の電話番号に対応つけて履歴記憶手段に記憶される回線の閉結前または閉結時における通信に関する履歴情報が表示される。
【０００９】
請求項３記載の電話装置は、請求項１または２に記載の電話装置において、前記表示手段は、履歴情報として相手側装置との回線の閉結日時の履歴または回線の閉結回数を表示するものである。
【００１０】
請求項４記載の電話装置は、請求項２又は３に記載の電話装置において、前記表示手段は、履歴情報として相手側装置との前回の回線閉結後の着呼日時の履歴または着呼回数を表示するものである。
【００１１】
請求項５記載の電話装置は、請求項１から４のいずれかに記載の電話装置において、相手側装置との通信に関するコメントを入力するコメント入力手段を備え、前記表示手段は、そのコメント入力手段により入力されたコメントを履歴情報として表示するものである。
【００１２】
請求項６記載の電話装置は、請求項１から５のいずれかに記載の電話装置において、文字や記号を記録媒体上に印刷する印刷手段を備え、前記印刷手段は、履歴情報を記録媒体上に印刷するものである。
【００１３】
【発明の実施の形態】
以下、本発明の好ましい実施例について、添付図面を参照して説明する。図１は、本発明の一実施例であるファクシミリ装置１の外観斜視図である。ファクシミリ装置１の本体２の側部には、受話器３が取り付けられている。受話器３は非通話時には本体２に設けられた図示しないフック上に置かれ、通話時にはフックから取り上げられて使用される。前者をオンフック状態、後者をオフフック状態と称している。
【００１４】
本体２の上面前部には複数のボタン４ａを備えた操作パネル４が設けられ、その操作パネル４の左上端部には、相手側装置からの着信（着呼（呼出信号の着信）に応答して電話回線を閉結すること）があった日時と、その着信した全着信回数と、その着信時におけるコメント（通話内容等）とをＬＣＤ５へ表示するための着信情報ボタン４ｂが設けられている。また、着信情報ボタン４ｂの下には、相手側装置との電話回線の閉結前または閉結時における通信に関する履歴情報をプリンタ２５により記録紙Ｐへ印刷するための印刷ボタン４ｃが設けられている。操作パネル４の左後部には、２行表示することが可能な液晶表示器（ＬＣＤ）５が設けられている。ファクシミリ装置１は、この操作パネル４上に設けられた各ボタン４ａが押下されることにより操作されるとともに、その操作状態や操作手順などがＬＣＤ５へ表示される。
【００１５】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙Ｐを積層収納可能な記録紙ホルダ１０が着脱可能に取り付けられている。記録紙ホルダ１０から供給され、プリンタ２５により印刷に使用された記録紙Ｐは、原稿排出口７の下方に設けられた記録紙排出口８から排出される。また、本体２の側面部にはスピーカ２８が設けられており、着呼（呼出信号の着信）した相手側装置に対応する名称（氏名）は、このスピーカ２８から音声出力される。
【００１６】
図２は、本ファクシミリ装置１の電気的構成を示したブロック図である。ファクシミリ装置１には、ＣＰＵ１１、ＲＯＭ１２、ＥＥＰＲＯＭ１３、ＲＡＭ１４、画像メモリ１５、音声メモリ１６、音声ＬＳＩ１７、ネットワーク・コントロール・ユニット（以下「ＮＣＵ」と称す）１９、モデム２０、バッファ２１、スキャナ２２、符号化部２３、復号化部２４、プリンタ２５、操作パネル４、アンプ２７、スピーカ２８及び時計回路３３が備えられ、これらはバスライン３０を介して互いに接続されている。
【００１７】
ＮＣＵ１９は回線制御を行うためのものであり、ファクシミリ装置１はこのＮＣＵ１９を介して電話回線３１に接続されている。ＮＣＵ１９は、交換機２９から送信される呼出信号や相手側装置（発信者）の電話番号（発信者番号）等を受信すると共に、操作パネル４上に設けられているボタン４ａの操作に応じた発信時のダイヤル信号を交換機２９へ送信したり、更には通話時におけるアナログ音声信号の送受信を行うものである。
【００１８】
ＣＰＵ１１は、ＮＣＵ１９を介して送受信される各種信号に従って、バスライン３０により接続された各部を制御してファクシミリ動作や電話動作、即ち、データ通信を実行するものである。時計回路３３は時刻の計時を行うためのものであり、時計回路３３により計時された時刻はＣＰＵ１１によって読み出され、各処理に使用される。ＲＯＭ１２は、このファクシミリ装置１で実行される制御プログラムなどを格納した書換不能なメモリであり、図７から図１２までのフローチャートに示すプログラムは、このＲＯＭ１２内に格納されている。
【００１９】
ＥＥＰＲＯＭ１３は、書換可能な不揮発性のメモリであり、相手側装置メモリ１３ａを備えている。この相手側装置メモリ１３ａは、予め、相手側装置の電話番号と、その相手側装置の電話番号に対応する名称（氏名）と、その相手側装置との電話回線の閉結前または閉結時における通信に関する履歴情報とを互いに対応つけて記憶するメモリである。図３に、その相手側装置メモリ１３ａの構成を模式的に示す。なお、履歴情報は、相手側装置からの着信（着呼に応答して電話回線を閉結すること）日時と、その着信に対して通話者が入力したコメント（通話内容等）と、その着信した全着信回数と、相手側装置との前回の着信後からの着呼（呼出信号の着信）日時と、その着呼した着呼回数とによって構成されている。
【００２０】
図３に示すように、相手側装置メモリ１３ａには、電話番号エリア１３ｂと、名称エリア１３ｃと、着信日時エリア１３ｄと、コメントエリア１３ｅと、着信回数カウンタ１３ｆと、着呼日時エリア１３ｇと、着呼回数カウンタ１３ｈとが設けられている。電話番号エリア１３ｂは、相手側装置の電話番号を記憶するためのエリアであり、名称エリア１３ｃは、その相手側装置の電話番号に対応つけて、相手側装置の名称を記憶するためのエリアである。名称エリア１３ｃの内容は、相手側装置からの着呼があった場合に、その着呼した相手側装置の電話番号に対応つけて記憶されているものが、ＬＣＤ５へ表示されるとともに、スピーカ２８から音声出力される。よって、受信者は、着呼のあった相手側装置を確実に認識することができるのである。
【００２１】
着信日時エリア１３ｄは、相手側装置からの着信があった場合、着信した日時をその相手側装置の電話番号に対応つけて各相手側装置ごとに記憶するためのエリアであり、過去半年分の着信日時が記憶可能となっている。コメントエリア１３ｅは、その着信日時エリア１３ｄのデータに対応するコメントを記憶するためのエリアである。このコメントエリア１３ｅには、コメントとして、例えば「伊豆での旅行について」のように、通話者により入力された通話内容の要点などが記憶される。着信回数カウンタ１３ｆは、過去半年分の全着信回数を着信のあった各相手側装置ごとに記憶するためのカウンタである。なお、本実施例においては、着信日時エリア１３ｄの内容とコメントエリア１３ｅの内容と着信回数カウンタ１３ｆの値とを記憶する期間は過去半年間とされているが、操作者による操作パネル４上のボタン４ａの押下操作によって、かかる記憶期間を変更できるようにしても良い。
【００２２】
着呼日時エリア１３ｇは、前回の着信後からの着呼した日時を各相手側装置ごとに記憶するためのエリアである。また、着呼回数カウンタ１３ｈは、前回の着信後からの着呼した回数を各相手側装置ごとに記憶するためのカウンタである。なお、着呼日時エリア１３ｇのデータ及び着呼回数カウンタ１３ｈの値は、前回の着信後からの着呼に対して記憶され、次の着信があると、その着信のあった相手側装置の着呼日時エリア１３ｇのデータ及び着呼回数カウンタ１３ｈの値は、ともにクリアされる。
【００２３】
図４に示すように、相手側装置からの着呼があると、ＬＣＤ５の上の行に、発信者の名称（氏名）１０１が、下の行に、前回の着呼（呼出）日時１０２及び着呼（呼出）回数１０３が、それぞれ表示される。よって、受信者は、その相手側装置による着呼日時や着呼回数を把握した上で、電話回線を閉結したり或いは電話回線の閉結を拒否したりすることができるのである。また、受信者は、不在等の理由によって閉結することができなかった電話の回数を着信前（通話前）に認識することができるので、例えば、その回数を通話相手に伝えるとともに閉結できなかったことを謝まって通話相手の不快感を解消することができるのである。
【００２４】
操作パネル４の着信情報ボタン４ｂが、着信時に受信者によって押下されると、図５に示すように、ＬＣＤ５の上の行に、前回の着信（通話）日時１１１及び全着信（全通話）回数１１２が、下の行に、前回の着信時におけるコメント（通話内容等）１１３が、それぞれ表示される。よって、受信者は、単にＬＣＤ５の表示内容を見るだけで、相手側装置との着信日時と着信回数を把握することができるとともに、コメント１１３によって前回の着信時における通話内容を詳細に把握することができる。従って、例えば、仕事上の打ち合わせ等においても、受信者は、把握したこれらの通信履歴（着信日時，全着信回数，通話内容）に基づいて通話を行うことができるので、円滑に通話を進めることができるのである。
【００２５】
また、印刷ボタン４ｃが、着信時に受信者によって押下されると、図６に示すように、全ての履歴情報１２１〜１２７がプリンタ２５により記録紙Ｐに印刷される。ＬＣＤ５の表示では、着呼日時１０２、着信日時１１１、及び、着信時におけるコメント１１３では最新の履歴情報しか表示されないので、受信者が最新の履歴情報以外の過去の履歴情報を見ることのできるように考慮したものである。具体的な印刷内容としては、受信した相手側装置の電話番号１２１、その受信した相手側装置の名称１２２、その相手側装置との前回の着信後からの着呼（呼出）回数１２３、その着呼日時１２４、かかる相手側装置との前回までの全着信（全通話）回数１２５、その着信日時１２６、その着信時におけるコメント１２７という順番で印刷される。
【００２６】
なお、着信日時１２６とその着信時におけるコメント１２７とは互いに対応付けされて、着信日時１２６の横にコメント１２７が印刷される。また、着呼日時１２４と着信日時１２６は、それぞれ新しい日時（情報）から順番に印刷され、各着信日時１２６の横に印刷されるコメント１２７としては、受信者により操作パネル４を介して入力されたコメントである「伊豆での旅行について」や「近況報告（長男誕生）」等の着信内容の要点が印刷されるのである。
【００２７】
このようにプリンタ２５によって履歴情報を記録紙Ｐ上へ印刷することにより、受信者は、履歴情報が印刷された記録紙Ｐを手元に置いて通話を行うことができ、その記録紙Ｐの表示内容を見ることによって通話を円滑に進めることができるのである。また、履歴情報が多量にある場合でも、その履歴情報を記録紙Ｐ上に印刷することにより、履歴情報を複数枚の記録紙Ｐに分けて印刷することができる。よって、表示内容の限られたＬＣＤ５に履歴情報を表示する場合に比べて、受信者は、相手側装置との通信履歴を容易に把握することができるのである。
【００２８】
図２におけるＲＡＭ１４は、ファクシミリ装置１の各動作の実行時に各種のデータを一時的に記憶するためのメモリであり、発信者番号メモリ１４ａと記憶フラグ１４ｂとを備えている。
【００２９】
発信者番号メモリ１４ａは、電話回線の閉結前に着呼（呼出信号の着信）があった際に、いわゆる発信電話番号表示サービスによって交換機２９から送信される相手側装置（発信者）の電話番号（発信者番号）を一時的に記憶するためのメモリである。ここで「発信電話番号表示サービス」とは、被呼側装置が当該サービスに加入している場合に、交換機２９から被呼側装置へ、電話回線を閉結する前に相手側装置の電話番号を送信するサービスである。このサービスを利用すれば、被呼側装置は、相手側装置の電話番号を電話回線の閉結前に受信することができるのである。このため、着呼があっても交換機２９から相手側装置の電話番号が送信されない場合には、発信者番号メモリ１４ａの内容を「０」クリアしている。よって、発信者番号メモリ１４ａの内容が「０」でなければ、発信者番号メモリ１４ａに記憶される電話番号の相手側装置からの着呼であると判断でき、一方、発信者番号メモリ１４ａの内容が「０」であれば、着呼のあった相手側装置の電話番号が交換機２９から送信されなかったと判断することができる。
【００３０】
なお、電話回線の閉結前または閉結時における通信中の相手側装置としては、本ファクシミリ装置１への発呼側装置のみでなく、本ファクシミリ装置１からの発呼先装置を通信中の相手側装置として用いることも当然に可能である。この場合には、本ファクシミリ装置１によって発呼された発呼先の電話番号を発信者番号メモリ１４ａへ記憶する。
【００３１】
記憶フラグ１４ｂは、相手側装置からの着呼があり、その相手側装置の電話番号を受信することができた場合に、その受信した電話番号が前記した電話番号メモリ１３ａに記憶されているか否かを示すフラグである。受信した相手側装置の電話番号が電話番号メモリ１３ａに記憶されていれば、記憶フラグ１４ｂはオンされ、一方、記憶されていなければ、記憶フラグ１４ｂはオフされる。
【００３２】
画像メモリ１５は、通信履歴、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１５に記憶され、プリンタ２５によって記録紙Ｐに印刷された後に、この画像メモリ１５から消去される。一般に、画像データは大容量であるが、画像データが印刷されることを条件にその画像データを消去しているので、画像メモリ１５を有効に使用することができる。音声メモリ１６は、相手側装置（発呼側装置）へ送出される応答メッセージや、相手側装置から送られてきた入来メッセージを記憶するメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００３３】
音声ＬＳＩ１７は、ＮＣＵ１９によって受信されたアナログ音声信号をデジタル音声信号に変換する音声認識処理を行うとともに、このファクシミリ装置１の内部で生成されたデジタル音声信号をアナログ音声信号に変換して、ＮＣＵ１９やスピーカ２８（アンプ２７）へ出力する音声合成処理を行うためのものである。前記したように、着呼した相手側装置の電話番号が電話番号メモリ１３ａに記憶されている場合には、この音声ＬＳＩ１７による音声合成処理によって、名称エリア１３ｃの内容がアナログ音声信号に変換され、アンプ２７を介して、スピーカ２８から音声出力される。
【００３４】
モデム２０は、画情報を変調及び復調して伝送すると共に伝送制御用の各種手順信号を送受信するためのものであり、バッファ２１は、相手側ファクシミリ装置との間で送受信される符号化された画情報を含むデータを一時的に格納するためのものである。スキャナ２２は、原稿挿入口６に挿入された原稿から画像を読み取るためのものであり、符号化部２３は、スキャナ２２により読み取られた画像の符号化を行うものである。復号化部２４は、バッファ２１又は画像メモリ１５に記憶された受信画像データを読み出して、これを復号化するものであり、復号化されたデータは、プリンタ２５により記録紙Ｐに印刷される。
【００３５】
操作パネル４は、操作者がこのファクシミリ装置１の設定等を行う場合に各種の操作を行うためのものであり、アンプ２７は、そのアンプ２７に接続されたスピーカ２８を鳴動して、呼出音や音声を出力するためのものである。
【００３６】
このように構成されたファクシミリ装置１は、ＮＣＵ１９を介して、電話回線３１に接続されている。この電話回線３１は、本ファクシミリ装置１の交換機２９に接続され、この交換機２９は電話回線３２を介して、他の交換機に接続されている。なお、他の交換機は、更に、電話回線を介して相手側装置や転送先となる他の装置に接続されている。
【００３７】
次に、図７から図１２のフローチャートを参照して、上記のように構成されたファクシミリ装置１の動作について説明する。図７は、着信時における処理を示したフローチャートである。図７に示すように、ファクシミリ装置１は呼出信号を待機し（Ｓ１：Ｎｏ）、呼出信号があると（Ｓ１：Ｙｅｓ）、図８に示す着呼情報表示処理を実行する（Ｓ２）。
【００３８】
図８に示す着呼情報表示処理では、まず、前記した発信電話番号表示サービスにより交換機側から送られる相手側装置の電話番号（発信者番号）を受信したか否かを確認する（Ｓ２０）。本ファクシミリ装置１が発信電話番号表示サービスに加入していても、発信者が電話番号の送信を拒否している場合には、交換機２９から発信者番号は送信されないので、発信者番号を受信することができない。よって、かかる場合には（Ｓ２０：Ｎｏ）、発信者番号メモリ１４ａの内容を「０」クリアして（Ｓ２１）、発信者番号が受信できなかったことを記憶する。その後、記憶フラグ１４ｂをオフするとともに（Ｓ２２）、呼出音を鳴動して（Ｓ２３）、この着呼情報表示処理を終了する。
【００３９】
一方、発信者番号を受信した場合には（Ｓ２０：Ｙｅｓ）、その受信した発信者番号をＲＡＭ１４の発信者番号メモリ１４ａへ書き込み（Ｓ２４）、受信した発信者番号がＥＥＰＲＯＭ１３の電話番号エリア１３ｂに記憶されているか否かを判断する（Ｓ２５）。なお、このような処理は、ファクシミリ装置１からの発呼にともなう電話回線の閉結前または閉結時おいても適用可能であり、かかる場合、その発呼による相手側装置の電話番号をＲＡＭ１４の発信者番号メモリ１４ａへ書き込み（Ｓ２４）、発呼した相手側装置の電話番号がＥＥＰＲＯＭ１３の電話番号エリア１３ｂに記憶されているか否かを判断する（Ｓ２５）。そして、Ｓ２５の判断の結果、電話番号エリア１３ｂに記憶されていなければ（Ｓ２５：Ｎｏ）、発信者番号メモリ１４ａの内容をＬＣＤ５の上の行へ表示し（Ｓ２６）、記憶フラグ１４ｂをオフするとともに（Ｓ２２）、呼出音を鳴動して（Ｓ２３）、この着呼情報表示処理を終了する。
【００４０】
Ｓ２５の処理において、受信した発信者番号が電話番号エリア１３ｂに記憶されていれば（Ｓ２５：Ｙｅｓ）、その発信者番号に対応する名称エリア１３ｃの内容、即ち、その発信者番号に対応して記憶される相手側装置の名称をＬＣＤ５の上の行へ表示するとともに（Ｓ２７，図４の１０１）、名称エリア１３ｃの内容（相手側装置の名称）をスピーカ２８から音声出力する（Ｓ２８）。よって、受信者は、着呼のあった相手側装置を確実に認識することができるのである。
【００４１】
音声出力後（Ｓ２８）、受信した発信者番号に対応する着呼日時エリア１３ｇの最新の内容、即ち、その発信者番号に対応する相手側装置との前回の着呼日時をＬＣＤ５の下の行へ表示するとともに（Ｓ２９，図４の１０２）、受信した発信者番号に対応する着呼回数カウンタ１３ｈの値、即ち、かかる相手側装置との前回の着信後（電話回線の閉結後）からの着呼回数をもＬＣＤ５の下の行へ表示する（Ｓ３０，図４の１０３）。表示後、記憶フラグ１４ｂをオンして（Ｓ３１）、受信した発信者番号が電話番号エリア１３ｂに記憶されていることを記憶し、この着呼情報表示処理を終了する。
【００４２】
このように着呼情報表示処理では、相手側装置からの着呼があり、その相手側装置の電話番号（発信者番号）が電話番号メモリ１３ａに記憶されている場合には、相手側装置との前回の着呼日時１０２と前回の着信後からの着呼回数１０３とがＬＣＤ５へ表示される。よって、受信者は、その相手側装置との着呼日時や着呼回数を把握した上で、電話回線を閉結したり、或いは、頻繁にかかるいたずら電話の場合には電話回線の閉結を拒否したりすることができるのである。
【００４３】
着呼情報表示処理（Ｓ２）を終了すると、処理を図７のＳ３へ移行して、呼出信号が継続しているか否かを確認する（Ｓ３）。呼出信号が継続していれば（Ｓ３：Ｙｅｓ）、受話器３が取り上げられたか否か、即ち、オフフック状態であるか否かを確認する（Ｓ４）。オンフック状態であれば（Ｓ４：Ｎｏ）、処理をＳ２へ移行して、呼出信号が継続する間（Ｓ３：Ｙｅｓ）、Ｓ２からＳ４の処理を繰り返す。また、その間に呼出信号が中断すれば（Ｓ３：Ｎｏ）、図９に示す第１更新処理を実行する（Ｓ５）。
【００４４】
図９に示す第１更新処理では、まず、記憶フラグ１４ｂの内容がオンであるか否かを確認する（Ｓ４１）。記憶フラグ１４ｂ内容がオフであれば（Ｓ４１：Ｎｏ）、即ち、発信者番号を受信することができなかったか、または、発信者番号を受信してもその受信した発信者番号が電話番号エリア１３ｂに記憶されていない場合には、相手側装置メモリ１３ａに記憶された履歴情報を更新する必要がないので、そのまま、この第１更新処理を終了する。一方、記憶フラグ１４ｂの内容がオンであれば（Ｓ４１：Ｙｅｓ）、受信した発信者番号に対応する着呼回数カウンタ１３ｈの値を１加算するとともに（Ｓ４２）、受信した発信者番号に対応する着呼日時エリア１３ｇの内容へ新たに着呼のあった日時を付加して（Ｓ４３）、着呼に関する履歴情報を更新する。履歴情報の更新後、この第１更新処理を終了する。
【００４５】
第１更新処理の終了後、処理を図７のＳ１５へ移行して、ＬＣＤ５の表示を消去する（Ｓ１５）。その後、処理をＳ１へ移行して、次の呼出信号を待機するのである（Ｓ１）。
【００４６】
Ｓ４の処理において、受話器３が取り上げられて、オフフック状態となれば（Ｓ４：Ｙｅｓ）、電話回線を閉結するとともに（Ｓ６）、電話処理を実行する（Ｓ７）。電話処理の実行中に、受信者によって着信情報ボタン４ｂが押下されたか否かを判断し（Ｓ８）、判断の結果、着信情報ボタン４ｂが押下されれば（Ｓ８：Ｙｅｓ）、図１０に示す着信情報表示処理を実行する（Ｓ９）。
【００４７】
図１０の着信情報表示処理では、まず、記憶フラグ１４ｂの内容がオンであるか否かを確認する（Ｓ５１）。記憶フラグ１４ｂの内容がオンでなければ（Ｓ５１：Ｎｏ）、即ち、発信者番号を受信することができなかったか、または、発信者番号を受信してもその受信した発信者番号が電話番号エリア１３ｂに記憶されていない場合には、相手側装置メモリ１３ａの履歴情報を表示（検索）することができないので、そのまま、この着信情報表示処理を終了する。
【００４８】
一方、記憶フラグ１４ｂの内容がオンであれば（Ｓ５１：Ｙｅｓ）、受信した発信者番号に対応する着信日時エリア１３ｄの最新の内容、即ち、その発信者番号に対応する相手側装置からの前回の着信日時と、着信回数カウンタ１３ｆの値、即ち、相手側装置との過去半年分の全着信回数とを、ＬＣＤ５の上の行へ表示する（Ｓ５２，図５の１１１，Ｓ５３，図５の１１２）。その後、受信した発信者番号に対応するコメントエリア１３ｅの内容、即ち、かかる相手側装置との前回の着信時におけるコメントをＬＣＤ５の下の行へ表示して（Ｓ５４，図５の１１３）、この着信情報表示処理を終了する。
【００４９】
このように着信情報表示処理では、相手側装置からの着信があり、受信者によって着信情報ボタン４ｂが押下された場合に、相手側装置からの前回の着信日時１１１と、その相手側装置との過去半年分の全着信回数１１２と、前回の着信時におけるコメント１１３とがＬＣＤ５へ表示される。よって、受信者は、単にＬＣＤ５の表示内容を見るだけで、相手側装置との前回の着信日時と全着信回数とを把握することができるとともに、コメントによって前回の通話内容を詳細に把握することができるのである。
【００５０】
着信情報表示処理（Ｓ９）を終了後、または、図７のＳ８の処理において受信者により着信情報ボタン４ｂが押下されない場合には（Ｓ８：Ｎｏ）、処理を図７のＳ１０へ移行して、受信者により印刷ボタン４ｃが押下されたか否かを判断する（Ｓ１０）。判断の結果、印刷ボタン４ｃが押下されていれば（Ｓ１０：Ｙｅｓ）、図１１に示すプリンタ出力処理を実行する（Ｓ１１）。
【００５１】
図１１に示すプリンタ出力処理では、まず、記憶フラグ１４ｂの内容がオンであるか否かを確認する（Ｓ６１）。記憶フラグ１４ｂの内容がオフであれば（Ｓ６１：Ｎｏ）、即ち、発信者番号を受信することができなかったか、または、発信者番号を受信してもその受信した発信者番号が電話番号エリア１３ｂに記憶されていない場合には、相手側装置メモリ１３ａの履歴情報を印刷することができないので、そのまま、このプリンタ出力処理を終了する。
【００５２】
一方、記憶フラグ１４ｂの内容がオンであれば（Ｓ６１：Ｙｅｓ）、受信した発信者番号と、その発信者番号に対応する名称エリア１３ｃの内容と、着呼回数カウンタ１３ｈの値と、着呼日時エリア１３ｇの内容と、着信回数カウンタ１３ｆの値と、着信日時エリア１３ｄの内容と、コメントエリア１３ｅの内容とを、即ち、履歴情報の全てをプリンタ２５により記録紙Ｐへ印刷する（Ｓ６２）（図６参照）。印刷後、このプリンタ出力処理を終了する。
【００５３】
このようにプリンタ出力処理では、相手側装置との通話時に、受信者によって印刷ボタン４ｃが押下されると、その相手側装置との履歴情報の全てがプリンタ２５より出力される。よって、受信者は、履歴情報が印刷された記録紙Ｐを手元に置いて通話を行うことができ、その記録紙Ｐの表示内容を見ることによって通話を円滑に進めることができるのである。また、履歴情報が多量にある場合でも、その履歴情報を記録紙Ｐ上に印刷することにより、履歴情報を複数枚の記録紙Ｐに分けて印刷することができる。よって、表示内容の限られたＬＣＤ５に履歴情報を表示する場合に比べて、受信者は、相手側装置との通信履歴を容易に把握することができるのである。
【００５４】
プリンタ出力処理（Ｓ１１）の終了後は、または、図７のＳ１０の処理において受信者により印刷ボタン４ｃが押下されない場合には（Ｓ１０：Ｎｏ）、処理を図７のＳ１２へ移行して、受話器３がオンフック状態であるか否かを確認する（Ｓ１２）。受話器３がオフフック状態のままであれば（Ｓ１２：Ｎｏ）、処理をＳ７へ移行して、Ｓ７からＳ１２の処理を繰り返す。一方、受話器３がオンフック状態であれば（Ｓ１２：Ｙｅｓ）、電話回線を開放するとともに（Ｓ１３）、図１２に示す第２更新処理を実行する（Ｓ１４）。
【００５５】
図１２に示す第２更新処理では、まず、記憶フラグ１４ｂの内容がオンであるか否かを確認する（Ｓ７１）。記憶フラグ１４ｂの内容がオフであれば（Ｓ７１：Ｎｏ）、発信者番号メモリ１４ａの内容が「０」であるか否かを確認する（Ｓ７２）。発信者番号メモリ１４ａの内容が「０」であれば（Ｓ７２：Ｙｅｓ）、発信者番号を受信することができなかったので、この第２更新処理を終了する。
【００５６】
一方、記憶フラグ１４ｂの内容がオフであり（Ｓ７１：Ｎｏ）、且つ、発信者番号メモリの内容が「０」でなければ（Ｓ７２：Ｎｏ）、受信した発信者番号に対応する電話番号がＥＥＰＲＯＭ１３の電話番号エリア１３ｂに記憶されていないので、その受信した発信者番号が記憶されている発信者番号メモリ１４ａの内容を電話番号エリア１３ｂへ書き込むとともに（Ｓ７３）、発信者番号に対応つけて着信日時エリア１３ｄへ相手側装置から着信のあった日時を書き込む（Ｓ７４）。着信日時エリア１３ｄへの書き込み後、名称登録処理が実行される（Ｓ７５）。この名称登録処理では、受信した発信者番号に対応つけてその相手側装置の名称（氏名）が受信者による操作パネル４のボタン４ａ操作によって登録される。登録後、その発信者番号に対応する着信回数カウンタ１３ｆの値を「０」クリア（初期化）する（Ｓ７６）。
【００５７】
Ｓ７１の処理において、記憶フラグ１４ｂの内容がオンであれば（Ｓ７１：Ｙｅｓ）、受信した発信者番号に対応する着信日時エリア１３ｄの内容へ相手側装置からの新たな着信日時を付加する（書き込む）（Ｓ７７）。新たな着信日時を付加した後（Ｓ７７）、または、着信回数カウンタ１３ｆの値を「０」クリアした後は（Ｓ７６）、コメント付加処理を実行する（Ｓ７８）。このコメント付加処理では、受信した発信者番号に対応する着信日時エリア１３ｄの内容に対応つけて、受信者による操作パネル４のボタン４ａ操作により、コメント（通話内容等）が付加されるのである。
【００５８】
コメント付加処理（Ｓ７８）の終了後は、着信回数カウンタ１３ｆの値を１加算するとともに（Ｓ７９）、着呼日時エリア１３ｇの内容をクリアする（Ｓ８０）。その後、着呼回数カウンタ１３ｈの値を「０」クリアして（Ｓ８１）、この第２更新処理を終了する。なお、Ｓ７４及びＳ７７の処理において、着信日時エリア１３ｄへ記憶される着信日時は、相手側装置からの着信があった際（電話回線を閉結した際）の日時である。即ち、着信の際に、かかる着信日時をＲＡＭ１４内のメモリへ一時的に記憶おき、そのメモリの内容を用いて、着信日時エリア１３ｄへの書き込みを行うのである。
【００５９】
第２更新処理（Ｓ１４）の終了後は、処理を図７のＳ１５へ移行して、ＬＣＤ５の表示内容を消去する（Ｓ１５）。消去後、Ｓ１の処理へ移行して、次の呼出信号を待機するのである。
【００６０】
なお、本実施例において、請求項１または２に記載の判断手段としては、Ｓ２５の処理が該当する。また、請求項１または２に記載の回線の閉結時とは、必ずしも回線を閉結した瞬間に限られるものではなく、回線の閉結後、或いは、回線の閉結時以降の回線開放時のいずれの場合であっても良い。
【００６１】
以上、実施例に基づき本発明を説明したが、本発明は上記実施例に何ら限定されるものではなく、本発明の趣旨を逸脱しない範囲内で種々の改良変形が可能であることは容易に推察できるものである。
【００６２】
例えば、本実施例では、相手側装置の着呼日時１０２、着信日時１１１、及び、着信時におけるコメント１１３は、最新の履歴情報のみがＬＣＤ５へ表示された。しかし、これに代えて、受信者がカーソルボタン等の押下をすることにより、最新の履歴情報以外の過去の履歴情報をＬＣＤ５へ表示できるように構成しても良い。
【００６３】
また、本実施例におけるプリンタ出力処理（Ｓ１１）では、履歴情報の全てがプリンタ２５より記録紙Ｐへ印刷された。しかし、これに代えて、プリンタ２５による記録紙Ｐへの印刷は、受信者が所定のボタン操作により、印刷する履歴情報を選択することができるように構成しても良い。
【００６４】
また、本実施例における着信情報表示処理（Ｓ９）及びプリンタ出力処理（Ｓ１１）における履歴情報の表示（印刷を含む）は、電話回線の閉結中（通話中）において、通話者による操作パネル４上の所定のボタン４ｂ，４ｃの押下によって表示された。しかし、これに代えて、電話回線の閉結前または開放後においても、通話者による操作パネル４上の所定のボタン４ｂ，４ｃの押下によって履歴情報を表示できるように構成しても良い。
【００６５】
また、本実施例における着信情報表示処理（Ｓ９）及びプリンタ出力処理（Ｓ１１）では、通話者による操作パネル４上の所定のボタン４ｂ，４ｃの押下によってコメントは表示された。しかし、これに代えて、所定のボタン４ｂ，４ｃが通話者によって押下されただけではコメントは非表示とし、所定のボタン４ｂ，４ｃの押下後、更に通話者によって暗証番号の入力等の所定の操作が行われることによりコメントを表示することができるように構成しても良い。即ち、このように構成されることにより、秘密を保持したい内容のコメントを登録しても、ファクシミリ装置１の電話回線を閉結した他の人にかかるコメントを知られることを防止することができるのである。
【００６６】
また、本実施例におけるプリンタ出力処理（Ｓ１１）では、通話者による操作パネル４上の所定のボタン４ｃの押下によって、通話中の相手側装置に対応付けてコメントエリア１３ｅに記憶されている全てのコメントが表示された。しかし、これに代えて、通話者による操作パネル４上のボタン４ａ操作によって各コメントごとに表示、非表示を選択することができるように構成しても良い。即ち、このように構成されることにより、秘密を保持したい内容のコメントを記憶しても、ファクシミリ装置１の電話回線を閉結した他の人にかかるコメントを知られることを防止することができるのである。
【００６７】
また、本実施例では、相手側装置との通話終了後、相手側装置の電話番号が電話番号エリア１３ｂに記憶されていなければ、受信した発信者番号は自動的に電話番号エリア１３ｂへ書き込まれた。しかし、これに代えて、通話者による操作パネル４上のボタン４ａ操作によって、発信者番号の電話番号エリア１３ｂへの書き込みをするか否かの選択をすることができるように構成しても良い。
【００６８】
【発明の効果】
請求項１記載の電話装置によれば、受信手段によって受信された相手側装置の電話番号が履歴記憶手段に記憶される相手側装置の電話番号と一致する場合、その相手側装置の電話番号に対応つけて記憶される相手側装置との通信に関する履歴情報として、相手側装置との前回の回線閉結後からの着呼日時の履歴または着呼回数が表示される。よって、受信者は、単に表示内容を見るだけで、受信された相手側装置との通信履歴を把握することができるという効果がある。また、受信者は、その相手側装置による着呼日時や着呼回数を把握した上で、通話を行ったり或いは通話を拒否したりすることができるという効果がある。
【００６９】
請求項２記載の電話装置によれば、発呼先記憶手段によって記憶される相手側装置の電話番号が履歴記憶手段に記憶される相手側装置の電話番号と一致する場合、その相手側装置の電話番号に対応つけて記憶される相手側装置との通信に関する履歴情報が表示手段によって表示される。よって、発信者は、単に表示内容を見るだけで、発呼先である相手側装置との通信履歴を把握することができるという効果がある。従って、発信者は、予め把握した通信履歴に応じて通話を行うことができるのである。
【００７０】
請求項３記載の電話装置によれば、請求項１または２に記載の電話装置の奏する効果に加え、更に、履歴情報として、相手側装置との回線の閉結日時の履歴または回線の閉結回数が表示される。よって、通話者（発信者又は受信者）は、相手側装置との回線の通話日時や通話回数を把握した上で、通話を行ったり或いは通話を拒否したりすることができるという効果がある。
【００７１】
請求項４記載の電話装置によれば、請求項２又は３に記載の電話装置の奏する効果に加え、更に、履歴情報として、相手側装置との前回の回線閉結後からの着呼日時の履歴または着呼回数が表示される。よって、通話者（発信者又は受信者）は、その相手側装置による着呼日時や着呼回数を把握した上で、通話を行ったり或いは通話を拒否したりすることができるという効果がある。
【００７２】
請求項５記載の電話装置によれば、請求項１から４のいずれかに記載の電話装置の奏する効果に加え、更に、履歴情報として、コメント入力手段によって入力された相手側装置との通信に関するコメントが表示される。よって、通話者（発信者又は受信者）は、かかるコメントにより、過去の通話内容を詳細に把握することができるという効果がある。
【００７３】
請求項６記載の電話装置によれば、請求項１から５のいずれかに記載の電話装置の奏する効果に加え、更に、印刷手段により履歴情報が記録媒体上に印刷されるので、通話者（発信者又は受信者）は、履歴情報が印刷された記録媒体を手元に置いて通話を行うことができ、その通話を円滑に進めることができるという効果がある。また、履歴情報が多量にある場合でも、その履歴情報を記録媒体上に印刷することにより、履歴情報を複数枚の記録媒体に分けて印刷することができる。よって、表示領域の限られたディスプレイに履歴情報を表示する場合に比べて、通話者は、相手側装置との通信履歴を容易に把握することができるという効果がある。
【図面の簡単な説明】
【図１】  本発明の一実施例であるファクシミリ装置の斜視図である。
【図２】  上記ファクシミリ装置の電気的構成を示したブロック図である。
【図３】  ＥＥＰＲＯＭ内の相手側装置メモリの構成を模式的に示した図である。
【図４】  着呼時におけるＬＣＤの表示内容を示した図である。
【図５】  着信時に、受信者により着信情報ボタンが押下された場合におけるＬＣＤの表示内容を示した図である。
【図６】  着信時に、受信者により印刷ボタンが押下された場合における記録紙への印刷内容を示した図である。
【図７】  着信時の処理を示したフローチャートである。
【図８】  着呼情報表示処理を示したフローチャートである。
【図９】  第１更新処理を示したフローチャートである。
【図１０】  着信情報表示処理を示したフローチャートである。
【図１１】  プリンタ出力処理を示したフローチャートである。
【図１２】  第２更新処理を示したフローチャートである。
【符号の説明】
１          ファクシミリ装置（電話装置）
５          液晶表示器（ＬＣＤ）（表示手段の一部）
１３        ＥＥＰＲＯＭ
１３ａ      相手側装置メモリ（履歴記憶手段）
１３ｂ      電話番号エリア
１３ｃ      名称エリア
１３ｄ      着信日時エリア
１３ｅ      コメントエリア
１３ｆ      着信回数
１３ｇ      着呼日時エリア
１３ｈ      着呼回数カウンタ
１４        ＲＡＭ
１４ａ      発信者番号メモリ
１９        ネットワークコントロールユニット（ＮＣＵ）（受信手段の一部）
２０        モデム（受信手段の一部）
２１        バッファ（受信手段の一部）
２５        プリンタ（表示手段の一部及び印刷手段）
２９        交換機
３１，３２  電話回線（回線）
Ｐ          記録紙（記録媒体）
【図１】
0003855443.tif 000002
【図２】
0003855443.tif 000003
【図３】
0003855443.tif 000004
【図４】
0003855443.tif 000005
【図５】
0003855443.tif 000006
【図６】
0003855443.tif 000007
【図７】
0003855443.tif 000008
【図８】
0003855443.tif 000009
【図９】
0003855443.tif 000010
【図１０】
0003855443.tif 000011
【図１１】
0003855443.tif 000012
【図１２】
0003855443.tif 000013